(57)【要約】【課題】テストウエイトを用いることなく作業時間を短縮するエレベータの秤調整装置を得る。【解決手段】エレベータの秤調整装置は、バネのたわみ量によりエレベータのかご内の負荷を検知する差動トランスタイプの秤装置を調整するときに使用するエレベータの秤調整装置において、水平に移動することにより上記秤装置のアーマチャを押し下げる動作片と、上記かごの床の裏面に固定されるとともに上記動作片の移動を案内するハウジングと、上記動作片を水平に移動するプッシュプルケーブルと、を備える。【選択図】図３
2011152962.tif 000002
【特許請求の範囲】
【請求項１】
バネのたわみ量によりエレベータのかご内の負荷を検知する差動トランスタイプの秤装置を調整するときに使用するエレベータの秤調整装置において、
水平に移動することにより上記秤装置のアーマチャを押し下げる動作片と、
上記かごの床の裏面に固定されるとともに上記動作片の移動を案内するハウジングと、
上記動作片を水平に移動するプッシュプルケーブルと、
を備えることを特徴とするエレベータの秤調整装置。
【請求項２】
上記プッシュプルケーブルは上記かご内にハンドル側を持ち込むことができることを特徴とする請求項１に記載のエレベータの秤調整装置。
【発明の詳細な説明】
【技術分野】
【０００１】
この発明は、エレベータの秤装置を調整するエレベータの秤調整装置に関する。
【背景技術】
【０００２】
エレベータのかご内の負荷が所定値を超えたときにエレベータの扉を開放するための信号を発するマイクロスイッチの動作を試験する動作試験装置は、マイクロスイッチを作動状態にする位置と非作動状態にする位置との間の移動範囲で可動するスイッチ作動カムと、スイッチ作動カムを作動状態と非作動状態にするための電磁マグネット部と、電磁マグネット部の励磁と非励磁により水平方向に移動するプランジャーと、を有する（例えば、特許文献１参照）。
【先行技術文献】
【特許文献】
【０００３】
【特許文献１】特開２００６−１１７３５４号公報
【発明の概要】
【発明が解決しようとする課題】
【０００４】
しかし、かご内の負荷に従ってかごの走行を制御するためのバネのたわみ量によりかご内の負荷を検知する差動トランスタイプの秤装置を調整する際には、上述のような動作試験装置を用いることが出来ず、テストウエイトを手配して、それらをかご内に積み込む必要がある。その為、かご内をバランスロードやフルロードにしなくてはならず、作業時間および労力が多大なものとなっている。
【０００５】
この発明は、前記のような課題を解決するためになされたものであり、テストウエイトを用いることなく作業時間を短縮するエレベータの秤調整装置を得ることを目的とする。
【課題を解決するための手段】
【０００６】
この発明に係るエレベータの秤調整装置は、バネのたわみ量によりエレベータのかご内の負荷を検知する差動トランスタイプの秤装置を調整するときに使用するエレベータの秤調整装置において、水平に移動することにより上記秤装置のアーマチャを押し下げる動作片と、上記かごの床の裏面に固定されるとともに上記動作片の移動を案内するハウジングと、上記動作片を水平に移動するプッシュプルケーブルと、を備える。
【発明の効果】
【０００７】
この発明に係るエレベータの秤調整装置は、秤装置のアーマチャを予め分かっている変位量だけ動作片により変位させて差動トランスの出力電圧が所定の値になるように調整することにより秤装置の調整が行えるので、テストウエイトの手配が不要であるとともにテストウエイトの積み降ろしのような力仕事がないので作業労力を低減することができるという効果を奏する。
【図面の簡単な説明】
【０００８】
【図１】この発明に係る秤装置をかごの床の下方に配置した様子を示す図である。
【図２】変換器に記憶されている出力電圧−負荷変換テーブルの一例のグラフである。
【図３】この発明に係るエレベータの秤調整装置をかごの床の裏面に取付けた様子を示す図である。
【図４】秤装置を調整するためにハウジングを床の裏面に取付けた様子を示す図である。
【図５】動作片を床とアーマチャの間に挿入した様子を示す図である。
【図６】調整を要する差動トランスの出力電圧をプロットしたグラフである。
【発明を実施するための形態】
【０００９】
以下、本発明のエレベータの秤調整装置の好適な実施の形態につき図面を用いて説明する。
図１は、この発明に係る秤装置をかごの床の下方に配置した様子を示す図である。図２は、変換器に記憶されている出力電圧−負荷変換テーブルの一例のグラフである。
この発明に係るエレベータのかご１内の負荷を計測する秤装置１０は、エレベータのかご１の床２の裏面に防振ゴム３を介して固定された秤装置取付梁４に固定される。そして、秤装置１０は、かご１の床２の変位により上下方向に移動可能に支持されたアーマチャ１１と、アーマチャ１１を上下方向に移動可能に支持するバネ１２と、アーマチャ１１が中心軸に挿入される差動トランス１３と、差動トランス１３の出力電圧をかご内負荷に変換する変換器１４と、を備える。
差動トランス１３は、１個の図示しない１次コイルと２個の図示しない２次コイルが図示しない筒に巻回されており、２次コイルは差動式に接続されている。また、差動トランス１３は、出力電圧を調整する特殊ナット１５が設けられる。
【００１０】
エレベータを据え付けるときにテストウエイトを用いてかご内負荷に対するアーマチャ１１の変位量を計測して基準値として記録する。さらに、アーマチャ１１の変位量に対する差動トランス１３の出力電圧を計測して出力電圧−負荷変換テーブルとして変換器１４に記憶する。
変換器１４は、差動トランス１３の出力電圧が入力され、出力電圧−負荷変換テーブルを参照して入力された出力電圧に対応する負荷を出力する。
かご１の内に乗客が乗込むと防振ゴム３に荷重が加わり、防振ゴム３が圧縮され、かご１の床２と秤装置取付梁４との間の隙間が狭まり、かご１の床２に一端が当接しているアーマチャ１１が下方に変位し、出力電圧が変化する。
【００１１】
そして、防振ゴム３のバネ定数の経年変化を無視できる周期で実施される秤装置１０の点検では、アーマチャ１１を基準値だけ変位させ、そのときの出力電圧がかご内の負荷に対応する値になるように調整する。
【００１２】
図３は、この発明に係るエレベータの秤調整装置をかごの床の裏面に取付けた様子を示す図である。
この発明に係るエレベータの秤調整装置は、かご１の床２の裏面に取付けられるハウジング５と、ハウジング５内を一方向に移動可能に納まる動作片６と、動作片６を一方向に移動するプッシュプルケーブル７と、を備える。
ハウジング５は、一面が開口する箱であり、裏面に取付けられる上面と、動作片６の両側面をそれぞれ案内する２つの側面と、開口した面に対応する端面と、上面に対向する下面と、が設けられている。
上面には図示しないマグネットが配設されている。端面にはプッシュプルケーブル７の図示しないキャップが固定される孔が明けられている。
【００１３】
動作片６は、ハウジング５の開口から突き出た部分が直角三角形の断面の楔６ａであり、楔６ａにはハウジング５に案内される摺動部６ｂが設けられている。そして、摺動部６ｂの端面にはプッシュプルケーブル７の図示しないロッドが固定されている。
【００１４】
プッシュプルケーブル７は、アウターケーシングにより覆われたインナーケーブルの一端にハンドルが連結され、インナーケーブルの他端にロッドが連結されている。そして、ハンドルを前後すると、ロッドが前後移動する。そして、ハンドルの前後への移動量と動作片６の楔６ａの傾斜面の上下方向の移動量とは予め定まっている。なお、秤調整装置を調整毎に持参しても良いし、プッシュプルケーブル７をかご側の前垂れ裏面やかご上に保管しておき、必要に応じて取り出して使用しても良い。
【００１５】
次に、秤調整装置を用いて秤装置１０を調整する手順を説明する。図４は、秤装置を調整するためにハウジング５を床２の裏面に取付けた様子を示す図である。図５は、動作片を床２とアーマチャ１１の間に挿入した様子を示す図である。
ハウジング５の上面をかご１の床２の裏面にマグネットで取付ける。ハウジング５を取付けるときハウジング５の開口をアーマチャ１１に向け、動作片６をハウジング５から突き出したときかご１の床２の裏面とアーマチャ１１の先端との間に入り込む位置まで近づける。
次に、かご１の扉を開放してプッシュプルケーブル７のハンドル側をかご内に持ち込む。
次に、ハンドルを例えばかご内負荷がフルロードの５０％に対応するアーマチャ１１の変位量に相当する移動量だけ前に押し出す。
すると、動作片６によりアーマチャ１１が押し下げられる。アーマチャ１１が押し下げられると差動トランス１３の出力電圧が変化する。
【００１６】
次に、かご内負荷がフルロードの５０％に対応する値に差動トランス１３の出力電圧がなるように特殊ナット１５を調整する。例えば、かご内負荷が大きくなるほど差動トランス１３の出力電圧が大きくなる場合、かご内負荷がフルロードの５０％に対応する値より差動トランス１３の出力電圧が大きいとき特殊ナット１５を調整してかご内負荷がフルロードの５０％に対応する値に差動トランス１３の出力電圧がなるようにする。図６に示すように、かご内負荷がフルロードの５２％に対応する差動トランス１３の出力電圧のとき、差動トランス１３の出力電圧を減少させる。
次に、ハウジング５をかご１の床２の裏面から取り外して秤装置１０の調整を終了する。
【００１７】
この発明に係るエレベータの秤調整装置は、秤装置１０のアーマチャ１１を予め分かっている変位量だけ動作片６により変位させて差動トランス１３の出力電圧が所定の値になるように調整することにより秤装置１０の調整が行えるので、テストウエイトの手配が不要であるとともにテストウエイトの積み降ろしのような力仕事がないので作業労力を低減することができる。
作業労力の低減は特に許容積載量が大きいエレベータ程効果が顕著である。
【００１８】
また、プッシュプルケーブル７のハンドル側をかご内に持ち込むことができ、かご１内から秤装置１０の調整ができるので、１人でも作業ができるという効果を奏する。
【００１９】
なお、上述の実施の形態ではプッシュプルケーブル７のハンドル側をかご１内に持ち込んで調整を行っているが、かご１内に限るわけではなく、ピットや乗場から調整を行っても良い。
【００２０】
また、上述の実施の形態ではかご１の床２の下方に配置した秤装置１０を調整する例を用いて説明したが、かご１の天井の上方に配置された秤装置を調整するときにも本発明に係る秤調整装置を用いることができる。
【符号の説明】
【００２１】
１  かご、２  （かごの）床、３  防振ゴム、４  秤装置取付梁、５  ハウジング、６ｂ  摺動部、６  動作片、６ａ  楔、７  プッシュプルケーブル、１０  秤装置、１１  アーマチャ、１２  バネ、１３  差動トランス、１４  変換器、１５  特殊ナット。
【図１】
2011152962.tif 000003
【図２】
2011152962.tif 000004
【図３】
2011152962.tif 000005
【図４】
2011152962.tif 000006
【図５】
2011152962.tif 000007
【図６】
2011152962.tif 000008